(57)【要約】【課題】紙を綴じる際に使用されるスタプラーを提供する。【解決手段】ベースとキャップとマガジンとを備えるスタプラーであって、位置決めプレートの間に中空部が形成され、リムーバーは、鋏みのように交差可能な下部材と上部材を有し、下部材と上部材は枢設され、上部材は、両側に側プレートが設けられると共に、後側にリムーバープレートが設けられ、リムーバープレートの中央に貫通溝が形成され、下部材は、両側に側プレートが設けられると共に、後側に押圧プレートが設けられ、リムーバープレートの中央における貫通溝は押圧プレートよりやや大きいことを特徴とする。【選択図】図１
0003118055.tif 000002
【実用新案登録請求の範囲】
【請求項１】
互いに枢設するベースと、キャップと、該ベースとキャップとの間に枢設されるマガジンとを備え、該ベースの後側にリムーバーが設けられ、該ベース、キャップ及びマガジンの一端に夫々枢設端が設けられると共に、他端に装丁作業を行うためのクリンチャー部が設けられ、該枢設端に夫々並行する２枚の位置決めプレートが設けられ、各位置決めプレートに互いに対応し合う枢設孔が形成され、該枢設孔にヒンジピンが設けられるスタプラーであって、
該キャップの枢設端における位置決めプレートの間に中空部が形成され、
該リムーバーは、鋏みのように交差可能な下部材と上部材を有し、該下部材と上部材はヒンジピンによって枢設され、
該上部材は、キャップの中空部に位置され、両側に側プレートが設けられると共に、後側にベースの枢設端から突出されるリムーバープレートが設けられ、該リムーバープレートの中央に貫通溝が形成され、
該下部材は、両側に側プレートが設けられると共に、後側に前記リムーバープレートの上方に位置される押圧プレートが設けられ、
該リムーバープレートの中央における貫通溝は押圧プレートよりやや大きいことを特徴とするスタプラー。
【請求項２】
下部材の一端の上側に挿入溝が形成され、該挿入溝に弾性プレートが設けられ、該弾性プレートの自由端が上部材に付勢されることを特徴とする請求項１に記載のスタプラー。
【請求項３】
前記押圧プレートとリムーバープレートは三角形であり、前記押圧プレートは、ベースと一体形成とすることを特徴とする請求項１又は２に記載のスタプラー。
【考案の詳細な説明】
【技術分野】
【０００１】
本考案は、特に紙を綴じる際に使用されるスタプラー（ステープラーStapler）に関するものである。
【背景技術】
【０００２】
スタプラーは、よく使用される装丁工具であり、装丁ミスの時、スタプラー針を抜かなければならないので、リムーバーを必要とする。従来のリムーバーは、スタプラーと別部材であるので、使用する際、夫々スタプラーとリムーバーを同時に用意しなければならないので、非常に面倒であった。
【０００３】
又、図５に示すように、後端に一枚のプレートであるリムーバー（７３）を有するスタプラー（７０）が開発された。該スタプラー（７０）は、相互に枢設されるベース（７１）とキャップ（７２）と、該ベース（７１）とキャップ（７２）との間に設けられるマガジン（７４）とを備え、該ベース（７１）、キャップ（７２）及びマガジン（７４）は、枢設端（７１１）（７２１）（７４１）によって互いに枢設され、マガジン（７４）の他端にスタプラー針（８０）が設けられることにより、紙（６５）を綴じることができる。
【０００４】
又、装丁ミスを起こった時、ベース（７１）の後側におけるリムーバー（７３）がスタプラー針（８０）と紙（６５）との間に挿入されることにより、該装丁ミスしたスタプラー針（８０）を取除く。
【考案の開示】
【考案が解決しようとする課題】
【０００５】
しかしながら、前記リムーバー（７３）によってスタプラー針（８０）を取除く場合、紙（６５）における針孔（６５０）部分が破れる恐れがあり、更に、抜いたスタプラー針（８０）が紙（６５）からどこかに飛び出す恐れがある。
【０００６】
そこで、考案されたのが本考案であって、安定的にスタプラー針を引き抜くことができるスタプラーを提供することを目的としている。
【課題を解決するための手段】
【０００７】
本願の請求項１の考案は、互いに枢設するベースと、キャップと、該ベースとキャップとの間に枢設されるマガジンとを備え、該ベースの後側にリムーバーが設けられ、該ベース、キャップ及びマガジンの一端に夫々枢設端が設けられると共に、他端に装丁作業を行うのクリンチャー部が設けられ、該枢設端に夫々並行する２枚の位置決めプレートが設けられ、各位置決めプレートに互いに対応し合う枢設孔が形成され、該枢設孔にヒンジピンが設けられるスタプラーであって、
該キャップの枢設端における位置決めプレートの間に中空部が形成され、
該リムーバーは、鋏みのように交差可能な下部材と上部材を有し、該下部材と上部材はヒンジピンによって枢設され、
該上部材は、キャップの中空部に位置され、両側に側プレートが設けられると共に、後側にベースの枢設端から突出されるリムーバープレートが設けられ、該リムーバープレートの中央に貫通溝が形成され、
該下部材は、両側に側プレートが設けられると共に、後側に前記リムーバープレートの上方に位置される押圧プレートが設けられ、該リムーバープレートの中央における貫通溝は押圧プレートよりやや大きいことを特徴とするスタプラー、を提供する。
【０００８】
本願の請求項２の考案は、下部材の一端の上側に挿入溝が形成され、該挿入溝に弾性プレートが設けられ、該弾性プレートの自由端が上部材に付勢されることを特徴とする請求項１に記載のスタプラー、を提供する。
【０００９】
本願の請求項３の考案は、前記押圧プレートとリムーバープレートは三角形であり、前記押圧プレートは、ベースと一体形成とすることを特徴とする請求項１又は２に記載のスタプラー、を提供する。
【考案の効果】
【００１０】
本考案は上記の課題を解決するものであり、以下に示すような利点を有する。
スタプラーの後側にリムーバーが一体に設けられ、スタプラーと別部材であるリムーバーを要らないので、非常に便利である。
鋏のように動作可能な押圧プレートとリムーバープレートにより、スタプラー針の両端を安定的に紙から取り抜いたので、紙が破れることを防止できる。
スタプラー針をＭ字形のように安定的に紙から引き抜くことができるので、抜いたスタプラー針が紙からどこかに飛び出す問題を防止できる。
【考案を実施するための最良の形態】
【００１１】
以下、添付した図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１は本考案に係るスタプラーの斜視図であり、図２は本考案に係るスタプラーの分解斜視図であり、図３は本考案に係るスタプラーによってスタプラー針を取り抜いている状態を示す斜視図であり、図４は本考案に係るスタプラーによってスタプラー針を取り抜いた状態を示す斜視図である。
【００１３】
図１及び図２に示すように、本考案に係るスタプラーは、互いに枢設するベース（１０）と、キャップ（２０）と、該ベース（１０）とキャップ（２０）との間に枢設されるマガジン（３０）とを備え、該ベース（１０）の後側にリムーバー（４０）が設けられ、該ベース（１０）、キャップ（２０）及びマガジン（３０）の一端に夫々枢設端（１１）（２１）（３１）が設けられると共に、他端に装丁作業を行うのクリンチャー部（１２）（２２）（３２）が設けられ、該枢設端（１１）（２１）（３１）に夫々並行する２枚の位置決めプレート（１３）（２３）（３３）が設けられ、各位置決めプレート（１３）（２３）（３３）に互いに対応し合う枢設孔（１３０）（２３０）（３３０）が形成され、該枢設孔（１３０）（２３０）（３３０）にヒンジピン（５０）が設けられ、又、該キャップ（２０）にマガジン（３０）の位置決めプレート（３３）へ付勢する可能な弾性プレート（２５）が設けられ、又、本考案に係るスタプラーによって装丁作業の使用方法は、従来と等しいため、説明が省略し、本考案の特徴は、ベース（１０）の後側に設けられるリムーバー（４０）である。
【００１４】
又、図１及び図２に示すように、キャップ（２０）の枢設端（２１）における位置決めプレート（２３）の間にリムーバー（４０）を収容するための中空部（２４）が形成される。
【００１５】
前記リムーバー（４０）は、鋏みのように交差可能な下部材（４１）と上部材（４２）を有し、該下部材（４１）と上部材（４２）はヒンジピン（５０）によって枢設され、本実施例において、該下部材（４１）はベース（１０）と一体形成となり、両側にベース（１０）から上方へ延伸する側プレート（４１１）が設けられ、中央に上方へやや湾曲する三角形の押圧プレート（４１０）が設けられ、該側プレート（４１１）にヒンジピン（５０）を貫通するための貫通溝（４１５）が形成され、一端の上側に挿入溝（４１３）が形成され、該挿入溝（４１３）に弾性プレート（４３）が設けられ、該弾性プレート（４３）の自由端が上部材（４２）に付勢される。
【００１６】
前記上部材（４２）は、キャップ（２０）の中空部（２４）に位置される上プレート（４２１）と、該上ブレート（４２１）の両側に設けられる側プレート（４２２）とを有し、該側プレート（４２２）と上プレート（４２１）の間に弾性プレート（４３）を収容するための収容溝（４２４）が形成され、側プレート（４２２）の間に該押圧プレート（４１０）の下方に位置されるリムーバープレート（４２０）が設けられ、該リムーバープレート（４２０）は三角形の中空なリングであり、中央に押圧プレート（４１０）よりやや大きい貫通溝（４２５）が形成され、又、該側プレート（４２２）にヒンジピン（５０）を貫通するための貫通孔（４２３）が形成されることにより、上部材（４２）と下部材（４１）が鋏のように配置することができる。
【００１７】
図３に示すように、本考案に係るスタプラーのリムーバー（４０）を使用する際、先ず上部材（４２）のリムーバープレート（４２０）をスタプラー針（６０）と紙（６５）との間に挿入させ、更に、図４に示すように、該上部材（４２）をキャップ（２０）の中空部（２４）の方向（即ち下部材（４１）の方向）へ押圧させ、リムーバープレート（４２０）がスタプラー針（６０）を紙（６５）から引き抜くと共に、該スタプラー針（６０）が互いに交差した押圧プレート（４１０）とリムーバープレート（４２０）により、スタプラー針（６０）をM字形のように安定的に紙から引き抜くことができ、又、スタプラー針（６０）の両端を安定的に紙（６５）から取り抜いたので、紙（６５）が破れることを防止できる。
【００１８】
又、前記実施例では、下部材（４１）とベース（１０）は、一体形成とするが、該下部材（４１）をベース（１０）と別部材によって該ベース（１０）に設置しても良い。
【００１９】
本考案は上記の構成を有するので、以下に示すような利点を有する。
スタプラーの後側にリムーバーが一体に設けられ、スタプラーと別部材であるリムーバーを要らないので、非常に便利である。
鋏のように動作可能な押圧プレートとリムーバープレートにより、スタプラー針の両端を安定的に紙から取り抜いたので、紙が破れることを防止できる。
スタプラー針をM字形のように安定的に紙から引き抜くことができるので、抜いたスタプラー針が紙からどこかに飛び出す問題を防止できる。
【図面の簡単な説明】
【００２０】
【図１】本考案に係るスタプラーの斜視図である。
【図２】本考案に係るスタプラーの分解斜視図である。
【図３】本考案に係るスタプラーによってスタプラー針を取り抜いている状態を示す斜視図である。
【図４】本考案に係るスタプラーによってスタプラー針を取り抜いた状態を示す斜視図である。
【図５】従来のスタプラーによってスタプラー針を取り抜いた状態を示す斜視図である。
【符号の説明】
【００２１】
１０        ベース
１１、１２１、３１        枢設端
１２、２２、３２        クリンチャー部
１３、２３、３３        位置決めプレート
１３０、２３０、３３０        枢設孔
２０        キャップ
２４        中空部
２５        弾性プレート
３０        マガジン
４０        リムーバー
４１        下部材
４１０      押圧プレート
４１１      側プレート
４１３      挿入溝
４１５      貫通溝
４２        上部材
４２０      リムーバープレート
４２１      上プレート
４２２      側プレート
４２３      貫通孔
４２４      収容溝
４２５      貫通溝
４３        弾性プレート
５０        ヒンジピン
６０        スタプラー針
６５        紙
６５０      針孔
７０        スタプラー
７１        ベース
７１１      枢設端
７２        キャップ
７３        リムーバー
７４        マガジン
７４１      枢設端
８０        スタプラー針
【図１】
0003118055.tif 000003
【図２】
0003118055.tif 000004
【図３】
0003118055.tif 000005
【図４】
0003118055.tif 000006
【図５】
0003118055.tif 000007